(57)【特許請求の範囲】
【請求項１】
外側にねじ溝が設けられるねじロッドと、回転式ナットと、複数の外回動部材と、複数の内回動部材と、潤滑装置と、を含むねじロッドであって、
該回転式ナットは、外部リングとナットを有し、該外部リングは、機体に設けられ、内縁に該ナットが設けられ、該ナットと該外部リングにそれぞれの第２回動面と第１回動面が形成され、該ナットは該ねじロッドに設置され、内縁にねじロッドのねじ溝と対応する回動溝が形成され、また該ナットの一端が駆動部材と連接され、
該外回動部材は、該第１回動面と該第２回動面との間に設けられ、
該内回動部材は、該ねじ溝と該回動溝との間に設けられ、
該潤滑装置は、カバー部材とガイド部材を含み、該カバー部材は、該外部リングの端面に固設されると共に、該ガイド部材をカバーし、該ガイド部材は該ナットの端面に固設されると共に、該カバー部材に対して回転することができる一方、
前記カバー部材の一端に貫通孔が形成され、この貫通孔の外縁に油孔が形成され、該油孔に油出チャンネルを有する油出部材が設けられ、
該ガイド部材の外縁にねじ山が設けられ、該ねじ山同士の間に別のねじ溝が形成され、該別のねじ溝の両端にそれぞれの油出孔が形成され、該別のねじ溝と該カバー部材によって、案内溝が形成され、前記ガイド部材の一端に延伸部が設けられ、該延伸部とガイド部材の連接箇所に階段部が設けられ、該階段部の外側におけるガイド部材に該別のねじ溝と連通する連通孔が形成され、前記階段部とカバー部材の組み合わせによって合流空間が形成され、該合流空間は、該連通孔と、該カバー部材の油孔と連通し、
潤滑油が該油孔から供給され、該油出部材を経て、該合流空間と該連通孔とへ流れ込むことを特徴とする、潤滑装置を有するねじロッド。
【請求項２】
前記カバー部材に設けられた内面と該ガイド部材に設けられた外面との間、該ガイド部材に設けられた延伸部と該カバー部材に設けられた貫通孔との間、及び該ガイド部材に設けられた階段部と該カバー部材との間には、隙間が形成されることを特徴とする、請求項１に記載の潤滑装置を有するねじロッド。
【発明の詳細な説明】
【技術分野】
【０００１】
本発明はねじロッドに係り、特に装置の固定に用いられる潤滑装置を有するねじロッドに関するものである。
【背景技術】
【０００２】
ボールを有するナット回転式のねじロッドは、ナットとベアリングの外部リングを一体に形成させ、該ベアリングの外部リングは作業ベースに固定され、モータがベルトで動力をナットに転送することにより、ナットとねじロッドを互いに回転させながら、作業ベースを連動する。このようなねじロッドは、半導体機械、木工機械及び搬送装置などに使用されるので、現代工業の機械にとって非常に重要である。
【０００３】
一方、アメリカ合衆国特許第５,８０９,８３８号及び第６,７３２,６００号では、ボールを有するナット回転式のねじロッドに用いられる潤滑装置が開示されている。図５に示すように、このような潤滑装置の潤滑方式では、外部リング（９４０）に外部の潤滑装置とベアリング（９４）の内部に連接する貫通孔（９４１）が形成されると共に、ナット（９２）にも貫通孔（９４１）と対応する貫通孔（９２１）が形成されることにより、潤滑油がナット（９２）の内部に流れ込みながら、ねじロッド（９１）とボール（９３）を潤滑することができる。
【０００４】
しかしながら、上記の従来の潤滑方式には、以下のような問題がある。
【０００５】
１.ナット（９２）と外部リング（９４０）に加工を行うことがあるため（特にナットのねじ溝（９２０、Ａ）の加工は、ねじロッドの強度を大幅に降下してしまう）、構造強度を降下する問題がある。
【０００６】
２.潤滑油がナット（９２）の全ての内部空間に充填すると、潤滑効果が出るので、潤滑効果を達成するかどうか確認できない（即ち、強制注油する必要がある）。
【０００７】
更に、一般のボール付きねじロッドに用いられる潤滑装置は、例えばアメリカ合衆国特許第６,３６４,０５８号に開示されるように、ナットの一端に、内部に潤滑油を収容する油室と、ナットと接触する潤滑装置が設けられることにより、ナットを潤滑するが、ボールを有するナット回転式のねじロッドに使用できない。これは、油室がナットと同時に回転するため、潤滑油を強制給油できず、有効的に潤滑することができない。
【特許文献１】アメリカ合衆国特許第５,８０９,８３８号
【特許文献２】アメリカ合衆国特許第６,７３２,６００号
【特許文献３】アメリカ合衆国特許第６,３６４,０５８号
【発明の開示】
【発明が解決しようとする課題】
【０００８】
そこで、本発明は、潤滑装置を有するねじロッドを提供することを目的としている。
【課題を解決するための手段】
【０００９】
本願の請求項１の発明は、外側にねじ溝が設けられるねじロッドと、回転式ナットと、複数の外回動部材と、複数の内回動部材と、潤滑装置と、を含むねじロッドであって、該回転式ナットは、外部リングとナットを有し、該外部リングは、機体に設けられ、内縁に該ナットが設けられ、該ナットと該外部リングにそれぞれの第２回動面と第１回動面が形成され、該ナットは該ねじロッドに設置され、内縁にねじロッドのねじ溝と対応する回動溝が形成され、また該ナットの一端が駆動部材と連接され、該外回動部材は、該第１回動面と該第２回動面との間に設けられ、該内回動部材は、該ねじ溝と該回動溝との間に設けられ、該潤滑装置は、カバー部材とガイド部材を含み、該カバー部材は、該外部リングの端面に固設されると共に、該ガイド部材をカバーし、該ガイド部材は該ナットの端面に固設されると共に、該カバー部材に対して回転することができる一方、前記カバー部材の一端に貫通孔が形成され、この貫通孔の外縁に油孔が形成され、該油孔に油出チャンネルを有する油出部材が設けられ、該ガイド部材の外縁にねじ山が設けられ、該ねじ山同士の間に別のねじ溝が形成され、該別のねじ溝の両端にそれぞれの油出孔が形成され、該別のねじ溝と該カバー部材によって、案内溝が形成され、前記ガイド部材の一端に延伸部が設けられ、該延伸部とガイド部材の連接箇所に階段部が設けられ、該階段部の外側におけるガイド部材に該別のねじ溝と連通する連通孔が形成され、前記階段部とカバー部材の組み合わせによって合流空間が形成され、該合流空間は、該連通孔と、該カバー部材の油孔と連通し、潤滑油が該油孔から供給され、該油出部材を経て、該合流空間と該連通孔とへ流れ込むことを特徴とする潤滑装置を有するねじロッド、を提供する。
【００１０】
本願の請求項２の発明は、前記カバー部材に設けられた内面と該ガイド部材に設けられた外面との配合や、該ガイド部材に設けられた延伸部と該カバー部材に設けられた貫通孔との配合や、該ガイド部材に設けられた階段部と該カバー部材との配合は、すべて隙間を有する配合状態であることを特徴とする請求項１に記載の潤滑装置を有するねじロッド、を提供する。
【発明の効果】
【００１１】
本発明は上記の課題を解決するものであり、以下の効果を達成できる。
【００１２】
（イ）本発明は、強制給油を必要とせず、ナットの回転より、潤滑油を簡単にねじロット又はナットへ流れ込むことができる。
【００１３】
（ロ）本発明は、構造が簡単で、モールドより製造すればよい。
【００１４】
（ハ）本発明は、ナットに対して他の加工プロセスの必要がない。
【発明を実施するための最良の形態】
【００１５】
以下、添付図面を参照して本発明の好適な実施の形態を詳細に説明する。
【００１６】
図１は本発明に係る潤滑装置を有するねじロッドの斜視図であり、図２は図１のＡ-Ａ線の断面図であり、図３は本発明に係る潤滑装置を有するねじロッドの分解斜視図であり、図４Ａは本発明に係る潤滑装置を有するねじロッドにおけるカバー部材の斜視図であり、図４Ｂは本発明に係る潤滑装置を有するねじロッドにおけるガイド部材の斜視図である。
【００１７】
図１乃至図４Ｂに示すように、本発明に係る潤滑装置を有するねじロッドは、外側にねじ溝（１１）が設けられるねじロッド（１）と、回転式ナット（２）、複数の外回動部材（Ｘ1）と、複数の内回動部材（Ｘ２）と、潤滑装置（３）と、を有し、該回転式ナット（２）は、外部リング（２１）とナット（２２）を有し、該外部リング（２１）は、機体に設けられ、内縁に該ナット（２２）が設けられると共に、その一端の外縁に凹部（２１２）が形成され、該ナット（２２）と該外部リング（２１）に夫々第２回動面（２２２）と第1回動面（２１１）が形成され、該ナット（２２）は該ねじロッド（１）に設置され、内縁にねじロッド（１）のねじ溝（１１）と対応する回動溝（２２１）が形成されると共に、両端に夫々収容溝（２２３Ａ）（２２３Ｂ）が形成され、又、該ナット（２２）の一端が駆動部材と連接される。前記第1回動面（２１１）と第２回動面（２２２）との間に該外回動部材（Ｘ1）が設けられ、該ねじ溝（１１）と回動溝（２２１）との間に該内回動部材（Ｘ２）が設けられる。
【００１８】
前記潤滑装置（３）は、カバー部材（３１）とガイド部材（３２）を含み、該カバー部材（３１）は、該外部リング（２１）の端面に固設されると共に、該ガイド部材（３２）をカバーし、該ナット（２２）の端面に該ガイド部材（３２）が固設され、該ガイド部材（３２）は、カバー部材（３１）に対して回転することができる。
【００１９】
前記カバー部材（３１）は、一端に開放状態の中空な構造であり、該開放状態端の外縁に突出部（３１４）が設けられ、該突出部（３１４）が該外部リング（２１）の凹部（２１２）に固設され、該カバー部材（３１）の他端に貫通孔（３１２）が形成され、この貫通孔（３１２）の外縁に油孔（３１３）が形成され、該油孔（３１３）に油出チャンネル（４１）を有する油出部材（４）が設けられる。
【００２０】
前記ガイド部材（３２）は、両端に夫々延伸部（３２２）と突出部（３２５）を有する中空な構造であり、該延伸部（３２２）は互いに回転可能にカバー部材（３１）の貫通孔（３１２）に設置され、該突出部（３２５）は、ナット（２２）の収容溝（２２３Ｂ）に固設され、該ガイド部材（３２）の外縁にねじ山（３２３）が設けられ、該ねじ山（３２３）同士の間にねじ溝（３２３１）が形成され、該ねじ溝（３２３１）の両端に夫々油出孔（３２４Ａ）（３２４Ｂ）が形成され、該延伸部（３２２）とガイド部材（３２）の連接箇所に階段部（３２７）が設けられ、該階段部（３２７）の外側におけるガイド部材（３２）に該ねじ溝（３２３１）と連通する連通孔（３２６）が形成され、該階段部（３２７）とカバー部材（３１）と組み合わせた後、合流空間（８）が形成される。該階段部（３２７）の設置目的は、該カバー部材（３１）と該ガイド部材（３２）との配合面を延長すると共に、潤滑油（６）の漏れを防止し、且つ該合流空間（８）を形成することである。
【００２１】
該合流空間（８）は、該連通孔（３２６）と、該カバー部材（３１）の油孔（３１３）に設けられる油出部材（４）の油出チャンネル（４１）と連通する。潤滑油（６）は、油出部材（４）の油出チャンネル（４１）から合流空間（８）に流れ込んだ後、該合流空間（８）から該ガイド部材（３２）の連通孔（３２６）に流れ込む。
【００２２】
該ガイド部材（３２）は該カバー部材（３１）に対して回転可能なので、該カバー部材（３１）の油孔（３１３）と該ガイド部材（３２）の連通孔（３２６）を位置決めさせることができず、故に合流空間（８）を形成し、潤滑油（６）は間接的にねじ溝に流れ込むしかない。
【００２３】
前記ナット（２２）における収容溝（２２３Ａ）と該カバー部材（３１）の収容部（３１１）に複数の内部ロッド（５）が設けられ、該内部ロッド（５）は、ねじロッド（１）のねじ溝（１１）と対応する接触部（５１）が設けられる。
【００２４】
又、前記カバー部材（３１）に設けられた内面（３１１）と該ガイド部材（３２）に設けられた外面（３２１）との配合や、該ガイド部材（３２）に設けられた延伸部（３２２）と該カバー部材（３１）に設けられた貫通孔（３１２）との配合や、該ガイド部材（３２）に設けられた階段部（３２７）と該カバー部材（３１）との配合は、すべて隙間を有する配合状態である。
【００２５】
上記は、本発明に係る潤滑装置を有するねじロッドの各部材及びその相対関係の詳細な説明であり、以下に本発明の実施方式を説明する。
【００２６】
まず、該ガイド部材（３２）の突出部（３２５）とナット（２２）の収容溝（２２３Ｂ）を組み合わせ、次は該カバー部材（３１）を該ガイド部材（３２）にカバーすることにより、該カバー部材（３１）の内面（３１１）と該ガイド部材（３２）外面（３２１）や、該ガイド部材（３２）の延伸部（３２２）と該カバー部材（３１）の貫通孔（３１２）や、該ガイド部材（３２）の階段部（３２７）と該カバー部材（３１）を互いに配合させた後、潤滑油（６）を外側に漏らすことなく、該ねじ溝（３２３１）と該カバー部材（３１）の内面（３１１）により密室の案内溝（７）が形成され、更に、ナット（２２）を回転する時、該ガイド部材（３２）とナット（２２）と同時に回転し、該カバー部材（３１）は回転せず、そして、案内溝（７）の内部における潤滑油（６）は、該案内溝（７）の末端に流れ込むと、圧力を発生し、該圧力で潤滑油（６）が該案内溝（７）の両端における油出孔（３２４Ａ）（３２４Ｂ）からねじロッド（１）に流れ込むことにより、潤滑効果を達成する。又、潤滑油（６）の流量は、油出孔（３２４Ａ、３２４Ｂ）の寸法によって決定する。
【００２７】
以上の実施例から分かるように、この発明による潤滑装置を有するねじロッドは産業上の利用価値を具備するものであり、特許の要件を有するものである。但し、上述する実施例は、この発明を実施する場合の具体的な例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【図面の簡単な説明】
【００２８】
【図１】本発明に係る潤滑装置を有するねじロッドの斜視図である。
【図２】図１のＡ-Ａ線の断面図である。
【図３】本発明に係る潤滑装置を有するねじロッドの分解斜視図である。
【図４Ａ】本発明に係る潤滑装置を有するねじロッドにおけるカバー部材の斜視図である。
【図４Ｂ】本発明に係る潤滑装置を有するねじロッドにおけるガイド部材の斜視図である。
【図５】従来のボールを有するナット回転式のねじロッドの断面図である。
【符号の説明】
【００２９】
本願発明に係る部分
１          ねじロッド
１１        ねじ溝
２          回転式ナット
２１        外部リング
２１１      第1回動面
２１２      凹部
２２        ナット
２２１      回動溝
２２２      第２回動面
２２３Ａ    収容溝
２２３Ｂ    収容溝
３          潤滑装置
３１        カバー部材
３１１      内面
３１２      貫通孔
３１３      油孔
３１４      突出部
３２        ガイド部材
３２１      外面
３２２      延伸部
３２３      ねじ山
３２３１    ねじ溝
３２４Ａ    油出孔
３２４Ｂ    油出孔
３２５      突出部
３２６      連通孔
３２７      階段部
３２８      収容部
４          油出部材
４１        油出チャンネル
５          内部ロッド
５１        接触部
６          潤滑油
７          案内溝
８          合流空間
Ｘ１        外回動部材
Ｘ２        内回動部材
従来技術に係る部分
９１        ねじロッド
９１０      ねじ溝
９２        ナット
９２０      ねじ溝
９２１      貫通孔
９３        ボール
９４        ベアリング
９４０      外部リング
９４１      貫通孔
Ａ          ねじ溝
【図１】
0004773482.tif 000002
【図２】
0004773482.tif 000003
【図３】
0004773482.tif 000004
【図４Ａ】
0004773482.tif 000005
【図４Ｂ】
0004773482.tif 000006
【図５】
0004773482.tif 000007